(57)【要約】【課題】ハンズフリー通話装置において、携帯電話端末の登録を抹消した場合において、情報漏洩をなくし、セキュリティの確保およびプライバシーの保護を図る。【解決手段】ユーザの送話音声を収音して通話可能な接続状態にある携帯電話端末に送信するとともに、当該携帯電話端末から受話音声を受信して放音するハンズフリー通話装置１０において、携帯電話端末２０を当該ハンズフリー通話装置１０で利用するための利用登録情報と、当該携帯電話端末２０に関連する電話帳データ１２３と、を対応づけて記憶する記憶部１０８を備え、いずれかの携帯電話端末２０の登録を解除するに際し、当該解除対象の携帯電話端末２０に対応づけられた電話帳データ１２３を記憶部１０８から参照不能状態とする。【選択図】図２
2008085465.tif 000002
【特許請求の範囲】
【請求項１】
ユーザの送話音声を収音して通話可能な接続状態にある携帯電話端末に送信するとともに、当該携帯電話端末から受話音声を受信して放音するハンズフリー通話装置において、
携帯電話端末を当該ハンズフリー通話装置で利用するための利用登録情報と、当該携帯電話端末に関連する関連情報と、を対応づけて記憶する情報記憶部と、
いずれかの携帯電話端末の登録を解除するに際し、当該解除対象の携帯電話端末に対応づけられた前記関連情報を前記情報記憶部から参照不能状態とする参照禁止部と、
を備えたことを特徴とするハンズフリー通話装置。
【請求項２】
請求項１記載のハンズフリー通話装置において、
前記関連情報は、対応する前記携帯電話端末から転送された電話帳データを含むことを特徴とするハンズフリー通話装置。
【請求項３】
請求項１または請求項２記載のハンズフリー通話装置において、
前記参照禁止部は、前記参照不能状態とするに際し、前記関連情報を前記情報記憶部から消去することを特徴とするハンズフリー通話装置。
【請求項４】
各種情報を記憶する情報記憶部を有し、ユーザの送話音声を収音して通話可能な接続状態にある携帯電話端末に送信するとともに、当該携帯電話端末から受話音声を受信して放音するハンズフリー通話装置の制御方法において、
携帯電話端末を当該ハンズフリー通話装置で利用するための利用登録情報と、当該携帯電話端末に関連する関連情報と、を対応づけて前記情報記憶部に記憶させる情報記憶過程と、
いずれかの携帯電話端末の登録を解除するに際し、当該解除対象の携帯電話端末に対応づけられた前記関連情報を前記情報記憶部から参照不能状態とする参照禁止過程と、
を備えたことを特徴とする制御方法。
【請求項５】
各種情報を記憶する情報記憶部を有し、ユーザの送話音声を収音して通話可能な接続状態にある携帯電話端末に送信するとともに、当該携帯電話端末から受話音声を受信して放音するハンズフリー通話装置をコンピュータにより制御するための制御プログラムにおいて、
携帯電話端末を当該ハンズフリー通話装置で利用するための利用登録情報と、当該携帯電話端末に関連する関連情報と、を対応づけて前記情報記憶部に記憶させ、
いずれかの携帯電話端末の登録を解除するに際し、当該解除対象の携帯電話端末に対応づけられた前記関連情報を前記情報記憶部から参照不能状態とさせる、
ことを特徴とする制御プログラム。
【発明の詳細な説明】
【技術分野】
【０００１】
本発明は、ハンズフリー通話装置、制御方法および制御プログラムに係り、特に電話帳データの取り扱い技術に関する。
【背景技術】
【０００２】
従来、ハンズフリー通話装置において、接続する携帯電話端末から発信相手の名称と電話番号とが対応付けて登録された電話帳データを転送させ、記憶部に予め格納し、ユーザがハンズフリー通話装置を介して発信する際に電話帳データを読み出して参照することで、当該電話帳データに予め登録されている発信相手先の一覧を表示部に表示するようにしたものが知られている。
【特許文献１】特開平１０−２３１３５号公報
【発明の開示】
【発明が解決しようとする課題】
【０００３】
しかしながら、上記ハンズフリー通話装置において、電話帳データの転送元の携帯電話端末を使用しない状況となって登録を抹消したとしても、電話帳データは、ハンズフリー通話装置側で記憶しており、他の携帯電話端末を接続した場合には、登録を抹消した携帯電話端末に対応する電話帳データを参照することが可能であり、セキュリティの確保およびプライバシー保護の観点から問題であった。
そこで、本発明の目的は、ハンズフリー通話装置において、携帯電話端末の登録を抹消した場合において、情報漏洩をなくし、セキュリティの確保およびプライバシーの保護を図ることが可能なハンズフリー通話装置、制御方法および制御プログラムをを提供することにある。
【課題を解決するための手段】
【０００４】
上記課題を解決するため、ユーザの送話音声を収音して通話可能な接続状態にある携帯電話端末に送信するとともに、当該携帯電話端末から受話音声を受信して放音するハンズフリー通話装置において、携帯電話端末を当該ハンズフリー通話装置で利用するための利用登録情報と、当該携帯電話端末に関連する関連情報と、を対応づけて記憶する情報記憶部と、いずれかの携帯電話端末の登録を解除するに際し、当該解除対象の携帯電話端末に対応づけられた前記関連情報を前記情報記憶部から参照不能状態とする参照禁止部と、を備えたことを特徴としている。
上記構成によれば、情報記憶部は、携帯電話端末を当該ハンズフリー通話装置で利用するための利用登録情報と、当該携帯電話端末に関連する関連情報と、を対応づけて記憶する。
参照禁止部は、いずれかの携帯電話端末の登録を解除するに際し、当該解除対象の携帯電話端末に対応づけられた関連情報を情報記憶部から参照不能状態とする。
したがって、登録解除にあたり携帯電話端末に対応づけられた関連情報を情報記憶部から参照することはできなくなるので、セキュリティの確保およびプライバシーの保護を図ることができる。
【０００５】
この場合において、前記関連情報は、対応する前記携帯電話端末から転送された電話帳データを含むようにしてもよい。
したがって、転送された電話帳データが漏洩するのを確実に防止することができる。
また、前記参照禁止部は、前記参照不能状態とするに際し、前記関連情報を前記情報記憶部から消去するようにしてもよい。
この結果、より確実にセキュリティの確保およびプライバシーの保護を図ることができる。
【０００６】
また、各種情報を記憶する情報記憶部を有し、ユーザの送話音声を収音して通話可能な接続状態にある携帯電話端末に送信するとともに、当該携帯電話端末から受話音声を受信して放音するハンズフリー通話装置の制御方法において、携帯電話端末を当該ハンズフリー通話装置で利用するための利用登録情報と、当該携帯電話端末に関連する関連情報と、を対応づけて前記情報記憶部に記憶させる情報記憶過程と、いずれかの携帯電話端末の登録を解除するに際し、当該解除対象の携帯電話端末に対応づけられた前記関連情報を前記情報記憶部から参照不能状態とする参照禁止過程と、を備えたことを特徴としている。
上記構成によれば、登録解除にあたり携帯電話端末に対応づけられた関連情報を情報記憶部から参照することはできなくなるので、セキュリティの確保およびプライバシーの保護を図ることができる。
【０００７】
また、各種情報を記憶する情報記憶部を有し、ユーザの送話音声を収音して通話可能な接続状態にある携帯電話端末に送信するとともに、当該携帯電話端末から受話音声を受信して放音するハンズフリー通話装置をコンピュータにより制御するための制御プログラムにおいて、携帯電話端末を当該ハンズフリー通話装置で利用するための利用登録情報と、当該携帯電話端末に関連する関連情報と、を対応づけて前記情報記憶部に記憶させ、いずれかの携帯電話端末の登録を解除するに際し、当該解除対象の携帯電話端末に対応づけられた前記関連情報を前記情報記憶部から参照不能状態とさせる、ことを特徴としている。
上記構成によれば、登録解除にあたり携帯電話端末に対応づけられた関連情報を情報記憶部から参照することはできなくなるので、セキュリティの確保およびプライバシーの保護を図ることができる。
【発明の効果】
【０００８】
本発明によれば、登録解除ととともに、関連情報を参照不能状態とするので、情報漏洩をなくし、セキュリティの確保およびプライバシーの保護を図ることができる。
【発明を実施するための最良の形態】
【０００９】
以下、図面を参照して本発明の実施の形態について説明する。
図１は、本実施形態に係るハンズフリー通話装置を備えたハンズフリー通話システムの構成を概略的に示す図である。
図１に示すように、ハンズフリー通話システム１は、車両５０に搭載されたハンズフリー通話装置１０と、ユーザにより車両５０内に持ち込まれた携帯電話端末２０とを有し、ハンズフリー通話装置１０及び携帯電話端末２０が互いにBluetooth（登録商標）規格に準拠した近距離無線通信可能に構成されている。携帯電話端末２０は、移動通信網３０を介して他の携帯電話端末４０や固定電話（図示略）と通話通信するものであり、スピーカやマイク、通話通信のためのアンテナ等を備えている。
上記ハンズフリー通話装置１０は、運転手や同乗者等のユーザが車両５０内で携帯電話端末２０を把持することなく、他の携帯電話端末４０や固定電話（図示略）と通話することを可能にする装置であり、ユーザからの送話音声を携帯電話端末２０へ送信すると共に、他の携帯電話端末４０や固定電話からの受話音声を携帯電話端末２０から受信して車両５０内に放音する。
【００１０】
図２は、ハンズフリー通話装置１０の機能的構成を示すブロック図である。
図２において、制御部（参照禁止部）１００は、当該ハンズフリー通話装置１０を構成する各部を中枢的に制御する。
近距離無線通信部１０１は、携帯電話端末２０との間で近距離無線通信する無線通信装置（図示略）を有し、携帯電話端末２０が他の携帯電話端末４０や固定電話から受けた受話音声データを受信して制御部１００に出力し、また、他の携帯電話端末４０や固定電話への送話音声を送話音声データとして携帯電話端末２０に送信する。
放音部１０２は、制御部１００からの音声信号にしたがって車室内に音声を放音するものであり、受音部１０３は、ユーザの発した送話音声を収音し、音声信号に変換した後に制御部１００に出力する。
制御部１００は、近距離無線通信部１０１から受話音声データを取得した場合、その受話音声データに基づいて音声出力信号を生成し放音部１０２に出力して受話音声を放音部１０２から車室内に放音し、また、受音部１０３から送話音声を取得した場合、当該送話音声に対応する送話音声データを近距離無線通信部１０１を介して携帯電話端末２０に送信し、携帯電話端末２０から他の携帯電話端末４０や固定電話に送話音声データを伝送する。
【００１１】
表示部１０４は、制御部１００の制御の下、各種情報を表示するものであり、この表示部１０４には、後述する電話帳データ１２４に登録されている発信相手先の一覧が電話帳として表示される。
操作部１０５は、上記電話帳の表示指示といった、ユーザの指示入力を制御部１００に出力するものである。
計時部１０７は、現在時刻データ及び日付データを生成して制御部１００に出力するものである。
記憶部１０８は、制御部１００が実行する各種プログラムやデータを記憶するものであり、これらの他にも記憶部１０８には、カレンダーデータ１２０と、受信履歴データ１２１、発信履歴データ１２２と、電話帳データ１２３と、を記憶する。
【００１２】
カレンダーデータ１２０は、日付と、その日付の曜日及び祝祭日との対応を示すデータである。
受信履歴データ１２１は、ユーザが過去に受信した履歴を記録するデータであり、図３に示すように、受信した受信相手と、受信時刻、受信日および曜日を対応付けて記録する。
この発信履歴データ１２２には、ユーザがハンズフリー通話装置１０を用いて受信するごとに制御部１００によって記録が追加される。すなわち、制御部１００は、受信が行われた場合、受信相手、受信日付、受信時刻および曜日を含む１件のレコードを生成し、受信履歴データ１２１に追加する。このように、受信履歴データ１２１は、本実施形態では、発信用の電話帳データとしても用いることとしている。
【００１３】
発信履歴データ１２２は、ユーザが過去に発信した履歴を記録するデータであり、図３に示すように、ユーザが発信した発信相手と、発信時刻、発信日付および曜日とを対応付けて記録する。
この発信履歴データ１２２には、ユーザがハンズフリー通話装置１０を用いて発信するごとに制御部１００によって記録が追加される。すなわち、制御部１００は、発信が行われた場合、発信相手、発信日付、発信時刻および曜日を含む１件のレコードを生成し、発信履歴データ１２２に追加する。このように、発信履歴データ１２２は、本実施形態では、発信用の電話帳データとしても用いることとしている。
電話帳データ１２３は、発信相手の名称及び電話番号が記録されたデータである。
【００１４】
図３は、携帯電話端末登録時の処理フローチャートである。
まず、登録対象の携帯電話端末とハンズフリー通話装置１０との間で初めて短距離無線通信接続が確立されると（ステップＳ１１）、ハンズフリー通話装置１０は、当該携帯電話端末を利用可能状態とすべく当該携帯電話端末固有のデバイスアドレスデータを不揮発性メモリに登録する登録処理を行う（ステップＳ１２）。
この登録処理が完了することにより、当該携帯電話端末は、ハンズフリー通話装置１０を介した通話を行えるようになるとともに、ハンズフリー通話装置１０に登録されている電話帳データを利用することができる。そして、ハンズフリー通話装置１０には、携帯電話端末から電話帳データを転送し、当該転送した電話帳データを含む全ての電話帳データについて利用できる状態となる。
【００１５】
ここで、電話帳データの登録状態について具体的に説明する。
以下の説明では、携帯電話端末２０Ａおよび携帯電話端末２０Ｃが既にハンズフリー通話装置１０に登録されている状態で、携帯電話端末２０Ｂについて新たにハンズフリー通話装置１０に登録する場合について説明する。
【００１６】
図４は、携帯電話端末２０Ｂを登録する前のハンズフリー通話装置の電話帳データの説明図である。
電話帳データ１２３は、大別すると、発信相手の名前に相当する名前データ１３１、当該発信相手の電話番号に相当する電話番号データ１３２、名前データ１３１および電話番号データ１３２の情報入手元を特定する情報入手元データ１３３を備えている。
図４の例の場合、携帯電話端末２０Ｂを登録する前の電話帳データ１２３Ａ（１２３）は、第１番目のデータとして、名前データ＝「鈴木一郎」、電話番号データ＝「090-1234-56**」および情報入手元データ＝「携帯電話端末２０Ａ」が登録されている。
本実施形態では、携帯電話端末２０Ａが情報入手元であることを示すために、デバイスアドレスデータを情報入手元データとして登録しているが、デバイスアドレスデータに対応づけられたデバイスコードが格納されているようにしてもよい。
【００１７】
図５は、携帯電話端末２０Ｂの登録後のハンズフリー通話装置の電話帳データの説明図である。
上述した図４の状態で、携帯電話端末２０Ｂの登録処理がなされ、携帯電話端末２０Ｂから電話帳データが転送されると、ハンズフリー通話装置の電話帳データに携帯電話端末２０Ｂの電話帳データが追加される（ステップＳ１３）。
具体的には、図５の場合、携帯電話端末２０Ｂの登録後の電話帳データ１２３Ｂ（１２３）は、第１番目の追加されたデータとして、名前データ＝「山田花子」および電話番号データ＝「090-9876-54**」が登録され、第２番目の追加されたデータとして、名前データ＝「佐藤太郎」および電話番号データ＝「090-1111-22**」が登録されることとなる。
【００１８】
そして、追加して各電話帳データの情報入手元を示すべく、情報入手元データ＝「携帯電話Ｂ」が登録される。
この場合においても、携帯電話端末２０Ａが情報入手元であることを示すために、デバイスアドレスデータを情報入手元データとして登録しているが、デバイスアドレスデータに対応づけられたデバイスコードが格納されているようにしてもよい。
これらの結果、携帯電話端末２０Ａ、２０Ｂ、２０Ｃのユーザは、自己の携帯電話端末とハンズフリー通話装置１０との間で短距離無線通信接続が確立された状態で、ハンズフリー通話装置１０を利用するに際し、ハンズフリー通話装置１０の電話帳データを、他の携帯電話端末で登録した電話帳データを含めて全て利用可能な状態となる。
【００１９】
図６は、携帯電話端末の登録解除時の処理フローチャートである。
ユーザによりいずれかの携帯電話端末を指定して、登録解除の指示がなされると（ステップＳ２１）、ハンズフリー通話装置１０の制御部１００は、対応する携帯電話端末の登録解除処理を行う（ステップＳ２２）。
具体的には、記憶部１０８に記憶したデバイスアドレスデータを消去することとなる。
そして、制御部１００は、電話帳データ１２３の情報入手元データを参照して、登録解除対象の携帯電話端末のデバイスアドレスデータに対応する電話帳データを全て削除する（ステップＳ２３）。
【００２０】
図７は、登録解除後のハンズフリー通話装置の電話帳データの説明図である。
図７に示すように、登録解除後の電話帳データ１２３Ｃ（１２３）においては、情報入手元が携帯電話端末２０Ｂに対応する電話帳データが削除され、携帯電話端末２０Ｂを登録する前のハンズフリー通話装置の電話帳データの状態と同じになる。
以上の説明のように、本実施形態によれば、ハンズフリー通話装置を利用するに際し、登録した携帯電話端末が電話帳データをコピーしてハンズフリー通話装置に登録した場合でも、携帯電話端末の利用を中止し、登録を解除した場合には、対応する電話帳データは、ハンズフリー通話装置の電話帳データから削除されるので、ハンズフリー通話装置側では、データ管理が容易となるとともに、携帯電話端末のユーザにとっては、他の携帯電話端末のユーザにより自己の電話帳データが参照されることがなく、セキュリティの確保およびプライバシーの保護が図れる。
【００２１】
以上の説明においては、参照禁止部として機能する制御部１００は、携帯電話端末の登録解除に伴い、関連情報である電話帳データを削除（消去）する構成を採っていたが、必ずしも電話帳データそのもの削除する必要はなく、電話帳データの格納アドレスを削除するなど電話帳データを参照不能状態とすることができれば、同様の効果を得ることができる。
以上の説明では、携帯電話端末は、無線接続する場合についてのみ説明したが、有線接続する場合であっても同様に適用が可能である。
【図面の簡単な説明】
【００２２】
【図１】実施形態に係るハンズフリー通話システムの構成を示す図である。
【図２】ハンズフリー通話装置の機能的構成を示すブロック図である。
【図３】携帯電話端末登録時の処理フローチャートである。
【図４】携帯電話端末２０Ｂを登録する前のハンズフリー通話装置の電話帳データの説明図である。
【図５】携帯電話端末２０Ｂの登録後のハンズフリー通話装置の電話帳データの説明図である。
【図６】携帯電話端末の登録解除時の処理フローチャートである。
【図７】登録解除後のハンズフリー通話装置の電話帳データの説明図である。
【符号の説明】
【００２３】
１…ハンズフリー通話システム、１０…ハンズフリー通話装置、２０…携帯電話端末、２０Ａ…携帯電話端末、２０Ｂ…携帯電話端末、２０Ｃ…携帯電話端末、３０…移動通信網、４０…携帯電話端末、５０…車両、１００…制御部（参照禁止部）、１０１…近距離無線通信部、１０２…放音部、１０３…受音部、１０４…表示部、１０５…操作部、１０７…計時部、１０８…記憶部（情報記憶部）、１２０…カレンダーデータ、１２１…受信履歴データ、１２２…発信履歴データ、１２３…電話帳データ、１２３Ａ…電話帳データ、１２３Ｂ…電話帳データ、１２３Ｃ…電話帳データ、１２４…電話帳データ、１３０…検索インデックス情報、１３１…名前データ、１３２…電話番号データ、１３３…情報入手元データ。
【図１】
2008085465.tif 000003
【図２】
2008085465.tif 000004
【図３】
2008085465.tif 000005
【図４】
2008085465.tif 000006
【図５】
2008085465.tif 000007
【図６】
2008085465.tif 000008
【図７】
2008085465.tif 000009